(57)【特許請求の範囲】
【請求項１】
動画、静止画、テキストの少なくとも１つを含む素材を用いてタイトル情報のシナリオを作成するタイトル情報編集方法であって、
前記素材に付加情報を付加し、前記付加情報を用いて識別した番組作成の指定に合った素材と、番組作成の指定に合った時間情報を持つ時間付テンプレートとを自動選択して、シナリオを自動作成することを特徴とするタイトル情報編集方法。
【請求項２】
前記時間付テンプレートを、テンプレートの表示タイミングを設定する駆動型と、テンプレートの構成部品とを組み合わせて生成することを特徴とする請求項１に記載のタイトル情報編集方法。
【請求項３】
前記駆動型として、テンプレートの表示タイミングを動画のシーンに合わせる動画駆動型、音声の発生に合わせる音声駆動型、音楽の再生に合わせる音楽駆動型、静止画の表示に合わせる静止画駆動型、文字の表示に合わせる文字駆動型、または、表示内容を評価してテンプレートの表示間隔を設定する最適時間駆動型を有することを特徴とする請求項２に記載のタイトル情報編集方法。
【請求項４】
前記テンプレートの構成部品の１つとして、注目すべき素材を表す注目部品を有することを特徴とする請求項２に記載のタイトル情報編集方法。
【請求項５】
動画、静止画、テキストの少なくとも１つを含む素材を用いてタイトル情報のシナリオを作成するタイトル情報編集装置であって、
付加情報が付加された前記素材を格納するオブジェクト情報格納手段と、時間情報を持つ時間付テンプレートを格納する時間付テンプレート情報格納手段と、入力された番組作成の指定に合う素材を前記付加情報を識別して前記オブジェクト情報格納手段から自動選択し、前記指定に合う時間情報を持つ時間付テンプレートを前記時間付テンプレート情報格納手段から自動選択する選択手段とを備え、選択された素材を時間付テンプレートに貼り付けてシナリオを自動作成することを特徴とするタイトル情報編集装置。
【請求項６】
請求項１ないし４のいずれか記載のタイトル情報編集方法により編集されたタイトル情報を再生するタイトル情報再生方法であって、
付加情報が付された素材のシーンのみをダイジェストで再生することを特徴とするタイトル情報再生方法。
【請求項７】
請求項１ないし４のいずれか記載のタイトル情報編集方法により編集されたタイトル情報を再生するタイトル情報再生方法であって、
注目素材を表すテンプレートの構成部品を用いて表示された素材のみを再生することを特徴とするタイトル情報再生方法。
【請求項８】
請求項１ないし４のいずれか記載のタイトル情報編集方法により編集されたタイトル情報を再生するタイトル情報再生方法であって、
動画に同期付けられた非動画選択素材のみを再生することを特徴とするタイトル情報再生方法。
【発明の詳細な説明】
【０００１】
【発明の属する技術分野】
本発明は、マルチメディア情報（番組）のシナリオを編集する方法とその編集装置、及び、そのマルチメディア情報の再生方法に関し、特に、番組作成の自動化と、ユーザの意向を反映した再生とを可能にするものである。
【０００２】
【従来の技術】
従来、動画の時間軸に合わせて、静止画やテキストを所定のタイミングで表示するマルチメディア情報（タイトル情報）を編集する装置が開発されている（例えば、特開平９−８１７６８）。
【０００３】
図５には、こうした編集装置で作成されるタイトル情報のシナリオ（ａ）と、各素材（動画、静止画、テキスト）の表示時期を時系列で示した表（ｂ）と、矢印で示す各時点での表示画面（ｃ）とを例示している。
【０００４】
また、シナリオの作成を容易にするため、素材を表示する際のレイアウト設定や、そのときに素材をはめ込む枠の形状や飾りなど、いわゆるテンプレートを予め複数保持して、ユーザが適宜選択できるように構成した編集装置が特開平９−２９３１４４に記載されている。
【０００５】
この装置は、予め作成されたスタイル（テンプレートやその配置位置）を保存する保存手段と、素材を蓄積する蓄積手段と、作成されたシナリオを蓄積するシナリオ蓄積手段とを具備している。ユーザは、編集装置に表示される図３のスタイル選択画面からスタイルを選択し、次いで、図４の素材選択画面から動画素材を選択して、選択したテンプレートに動画を張り付ける。さらに、動画のシーンを進めながら、スタイル選択画面からスタイルを選択し、素材選択画面から静止画やテキストを張り付け、表示開始時刻・終了時刻を設定する。こうした操作で作成されたシナリオはシナリオ蓄積手段に蓄積される。
【０００６】
また、作成されたタイトル情報は、作成者が意図したとおりに再生装置で再生される。
【０００７】
【発明が解決しようとする課題】
しかし、テンプレートが装置側で用意されても、未だ番組の作成の手間が煩わしいと感じる人は大勢おり、番組作成の一層の簡便さが求められている。
【０００８】
また、再生に際しては、見る側の意向に基づいて再生の形態を指定できるシステムが求められている。
【０００９】
本発明は、こうした課題に応えるものであり、タイトル情報のシナリオを自動作成する編集方法、及び編集装置を提供し、また、視聴者の求めに応じてダイジェスト再生や注目素材だけを再生するタイトル情報の再生方法を提供することを目的としている。
【００１０】
【課題を解決するための手段】
そこで、本発明の編集方法では、番組作成の目標に合った素材と、時間情報を持つ時間付テンプレートとを自動選択して、シナリオを自動作成するようにしている。
【００１１】
ユーザは、素材を用意し、番組作成の目標を指定するだけで、シナリオが自動的に作成される。
【００１２】
また、本発明の再生方法では、付加情報が付された素材のシーンのみをダイジェストで再生したり、注目素材を表すテンプレートの構成部品を用いて表示された素材のみを再生するようにしている。
【００１３】
視聴者は、時間の余裕が無いときに、タイトル情報をダイジェストで見たり、注目素材だけを見たりすることができる。
【００１４】
【発明の実施の形態】
本発明の請求項１に記載の発明は、動画、静止画、テキストの少なくとも１つを含む素材を用いてタイトル情報のシナリオを作成するタイトル情報編集方法であって、前記素材に付加情報を付加し、前記付加情報を用いて識別した番組作成の指定に合った素材と、番組作成の指定に合った時間情報を持つ時間付テンプレートとを自動選択して、シナリオを自動作成するようにしたものであり、ユーザが素材を用意し、番組作成の目標を指定するだけで、シナリオが自動的に作成される。
【００１５】
請求項２に記載の発明は、時間付テンプレートを、テンプレートの表示タイミングを設定する駆動型と、テンプレートの構成部品とを組み合わせて生成するようにしたものであり、時間情報を持つテンプレートを得ることができる。
【００１６】
請求項３に記載の発明は、駆動型として、テンプレートの表示タイミングを動画のシーンに合わせる動画駆動型、音声の発生に合わせる音声駆動型、音楽の再生に合わせる音楽駆動型、静止画の表示に合わせる静止画駆動型、文字の表示に合わせる文字駆動型、または、表示内容を評価してテンプレートの表示間隔を設定する最適時間駆動型を有しており、テンプレートの表示を各種のタイミングで設定することができる。
【００１７】
請求項４に記載の発明は、注目すべき素材を表す注目部品を、テンプレートの構成部品の１つとしたものであり、タイトル情報を見る人に注目すべき素材であることを理解させることができる。
【００１９】
請求項５に記載の発明は、動画、静止画、テキストの少なくとも１つを含む素材を用いてタイトル情報のシナリオを作成するタイトル情報編集装置であって、付加情報が付加された前記素材を格納するオブジェクト情報格納手段と、時間情報を持つ時間付テンプレートを格納する時間付テンプレート情報格納手段と、入力された番組作成の指定に合う素材を前記付加情報を識別して前記オブジェクト情報格納手段から自動選択し、前記指定に合う時間情報を持つ時間付テンプレートを前記時間付テンプレート情報格納手段から自動選択する選択手段とを設け、選択された素材を時間付テンプレートに貼り付けてシナリオを自動作成するようにしたものであり、ユーザが素材を用意し、番組作成の目標を指定するだけで、シナリオが自動的に作成される。
【００２０】
請求項６に記載の発明は、請求項１ないし４のいずれか記載のタイトル情報編集方法により編集されたタイトル情報を再生する再生方法であって、付加情報が付された素材のシーンのみをダイジェストで再生するようにしたものであり、視聴者は、忙しいときにダイジェスト再生を指定することができる。
【００２１】
請求項７に記載の発明は、請求項１ないし４のいずれか記載のタイトル情報編集方法により編集されたタイトル情報を再生する再生方法であって、注目素材を表すテンプレートの構成部品を用いて表示された素材のみを再生するようにしたものであり、視聴者は、忙しいときに、注目素材だけを見ることができる。
【００２２】
請求項８に記載の発明は、請求項１ないし４のいずれか記載のタイトル情報編集方法により編集されたタイトル情報を再生する再生方法であって、動画に同期付けられた非動画選択素材のみを再生するようにしたものであり、静止画だけを再生したり、テキストだけを再生したりすることができる。
【００２３】
以下、本発明の実施の形態について、図面を用いて説明する。
【００２４】
（第１の実施形態）
第１の実施形態では、時間付テンプレートとそこに張り付ける素材とを番組のイメージに合わせて自動選択する編集装置について説明する。時間付テンプレートは、表示開始から表示終了までの時間情報を持つスタイル（テンプレート）である。従って、この時間付テンプレートを選択すれば、テンプレートの表示開始や表示終了の時間設定を省くことができる。
【００２５】
この装置は、図１に示すように、素材が格納されたオブジェクト情報格納部１１と、時間付テンプレートが格納された時間付テンプレート情報格納部１２と、ユーザが作成したい番組の目標やイメージを入力する番組イメージ入力手段１８と、番組イメージ入力手段１８から入力された情報に基づいて、番組に適した素材（オブジェクト）及び時間付テンプレートを選択する番組イメージ検索手段１７と、選択された素材をオブジェクト情報格納部１１から取り出すオブジェクト選択手段１３と、選択された時間付テンプレートを時間付テンプレート情報格納部１２から取り出す時間付テンプレート選択手段１４と、取り出された素材を時間付テンプレートに張り付ける番組イメージ構築手段１６と、番組イメージ構築手段１６が生成したデータによりシナリオを生成するシナリオ生成手段１５と、作成されたシナリオを格納するシナリオ格納部１９とを備えている。
【００２６】
オブジェクト情報格納部１１に格納された素材には、イメージに結び付く情報、例えば、「分かり易い番組」というイメージから想起される「低学年向け」と言うような情報、が付加情報として付加されている。この付加情報は、素材の先頭ページや代表ページに付加される。
【００２７】
また、時間付テンプレート格納部１２は、時間付テンプレートの駆動型が格納された駆動型格納部１２１と、テンプレートの部品群が格納された部品格納部１２２とを具備している。
【００２８】
駆動型とは、テンプレートの部品をどの様な時に付着（表示）させるか、あるいは、どの様な時に付着解除（表示終了）するか、という時間付テンプレートの表示タイミングのパターンを規定するものであり、駆動型には次のようなものがある。
動画駆動型
音声駆動型
音楽駆動型
静止画駆動型
文字駆動型
最適時間駆動型
【００２９】
この動画駆動型では、動画のシーン検出によりシーンの切り替え時点を検出し、それに合わせて（あるいは、それから一定時間経過した時点で）テンプレートの部品の付着を開始し、または終了する。
【００３０】
音声駆動型では、音声の表示開始または表示終了に合わせて（あるいは、それから一定時間経過した時点で）テンプレートの部品の付着を開始し、または終了する。
【００３１】
音楽駆動型では、音楽の表示開始または表示終了に合わせて（あるいは、それから一定時間経過した時点で）テンプレートや部品の付着を開始し、または終了する。
【００３２】
静止画駆動型では、静止画の表示開始または表示終了に合わせてテンプレートの部品の付着を開始し、または終了する。
【００３３】
文字駆動型では、文字の表示開始または表示終了に合わせてテンプレートの部品の付着を開始し、または、終了する。
【００３４】
また、最適時間駆動型では、各時間における表示内容などを定量的に評価し、評価結果に基づいてテンプレートの部品の付着時間を設定する。
【００３５】
例えば、表示される文字を評価対象とする場合では、文字量（文字数、漢字の文字数など）を計数し、その数に応じてテンプレート部品の付着時間を長く設定する（文字コントロール）。
【００３６】
また、複雑な絵や桁数の多い数値が含まれる場合には、その量に応じてテンプレート部品の付着時間を長く設定する（複雑度コントロール）。
【００３７】
あるいは、テンプレート部品の付着時間は全て等間隔に設定する（等間隔コントロール）。
【００３８】
また、部品格納部１２２には、テンプレートの各種の飾り枠の他に、
字幕部品（字幕形状の枠）
カラオケ部品（徐々に色が変化する部品）
注目部品（注目を集めるためにピカッと光る部品）
文章説明部品（文章説明用に濃淡を変えて表示するための部品）
手続き部品（手続き説明箇所を表示する部品）
などが格納されている。
【００３９】
時間付テンプレートは、駆動型と部品との組み合わせによって生成される。
【００４０】
この編集装置のオブジェクト情報格納部１１には、番組の素材候補となる動画、静止画、テキストなどが付加情報を付して予め格納されている。
【００４１】
ユーザは、番組イメージ入力手段１８から、作成する番組について、分かり易いものにするとか、きらびやかなものにするとか、手続きの理解を助ける番組にする、などの番組のイメージや、作りたい番組内容（例えば、市内観光名所巡り）などを、番組作成の目標として入力する。
【００４２】
番組イメージ検索手段１７は、オブジェクト情報格納部１１を検索して、番組作成の目標に合う素材を、それらに付加されている付加情報に基づいて選択し、また、時間付テンプレート情報格納部１２の部品格納部１２２及び駆動型格納部１２１を検索して、番組作成の目標に合う部品と駆動型とを選び、それらの組み合わせから成る時間付テンプレートを選択する。部品及び駆動型の選択は１つである必要は無く、複数を選ぶことが可能である。
【００４３】
番組イメージ検索手段１７は、この検索結果を番組イメージ構築手段１６に伝え、番組イメージ構築手段１６は、オブジェクト選択手段１３を通じてオブジェクト情報格納部１１から選択された素材を取り出し、また、時間付テンプレート選択手段１４を通じて時間付テンプレート情報格納部１２から選択された時間付テンプレートを取り出し、時間付テンプレートに素材を貼り付ける。
【００４４】
番組イメージ検索手段１７は、時間付テンプレートに貼り付けた素材を順次シナリオ生成手段１５に出力し、シナリオ生成手段１５は、それらを総合してシナリオを作成し、シナリオ格納部１９に格納する。
【００４５】
このように、この編集装置では、ユーザが素材を用意し、番組作成の目標を設定すれば、番組の作成が自動的に行なわれる。
【００４６】
なお、番組作成の目標に合う素材を選択するために素材に付加される付加情報は、キーワードのようなデータであっても良い。また、オブジェクトそのものを検索して該当するオブジェクトを選択するようにしても良い。例えば、きらびやかさを目標とする場合に、オブジェクトを直接検索して、派手な色の静止画を選択する、という具合である。
【００４７】
（第２の実施形態）
第２の実施形態では、番組の視聴側の意図によって表示形態を変えることができる再生装置について説明する。
【００４８】
この装置は、図２に示すように、提供側から送られたシナリオを蓄積するシナリオ蓄積手段２１と、提供側から送られた素材を蓄積する素材蓄積手段２４と、シナリオに同期して素材を読み出す同期処理手段２２と、読み出された素材を表示するオブジェクト表示手段２３と、再生、一時停止、早送り、巻き戻し等のコマンドを入力するタイトル再生コマンド入力手段２８と、ダイジェスト再生や注目画像の再生を指示するタイトル間隔制御コマンド入力手段２７と、タイトル間隔制御コマンド入力手段２７の要求を解釈してタイトルの進行を決定する要求解釈手段２６と、各部を制御する全体制御・管理手段２５とを備えている。
【００４９】
この再生装置では、タイトル再生コマンド入力手段２８から再生、一時停止、早送り、巻き戻し等のコマンドが入力された場合には、従来の装置と同様に、全体制御・管理手段２５が、同期処理手段２２を制御して、コマンドに応じた再生処理が行なわれる。
【００５０】
タイトル間隔制御コマンド入力手段２７からは、素材に付加情報が付加されているシーンのみを再生するダイジェスト再生や、注目部品で表示された素材のみの再生、あるいは、動画に同期付けられたその他の素材（静止画、音声、テキストなど）の中で選択した種類の素材（非動画選択素材）のみの再生を求める再生指示が入力される。
【００５１】
要求解釈手段２６は、タイトル間隔制御コマンド入力手段２７から指示された要求を解釈し、タイトルの進行をどのようにするかを決定して、全体制御・管理手段２５に引き渡す。
【００５２】
全体制御・管理手段２５は、この決定を受けて同期処理手段２２を制御し、付加情報が付加されているシーンのみをダイジェスト再生し、または、注目部品で表示される素材のみを再生し、あるいは、静止画のみ、テキストのみと言うように、非動画選択素材を再生する。
【００５３】
このように、この再生装置では、編集に使用されているテンプレート部品や付加情報を利用して再生画像を制限することができる。
【００５４】
【発明の効果】
以上の説明から明らかなように、本発明のタイトル情報編集方法及び装置では、シナリオの自動作成が可能であり、ユーザは素材を用意し、番組作成の目標を指定するだけで、シナリオが自動的に作成される。
【００５５】
また、本発明の再生方法では、視聴者の要求に応じて、ダイジェストでの再生や、注目素材だけの再生などを行なうことができる。
【図面の簡単な説明】
【図１】第１の実施形態における編集装置の構成を示すブロック図、
【図２】第２の実施形態における再生装置の構成を示すブロック図、
【図３】従来の編集装置におけるスタイル選択画面を示す図、
【図４】従来の編集装置における素材選択画面を示す図、
【図５】タイトル情報の説明図である。
【符号の説明】
１１  オブジェクト情報格納部
１２  時間付テンプレート情報格納部
１３  オブジェクト選択手段
１４  時間付テンプレート選択手段
１５  シナリオ生成手段
１６  番組イメージ構築手段
１７  番組イメージ検索手段
１８  番組イメージ入力手段
１９  シナリオ格納部
２１  シナリオ蓄積手段
２２  同期処理手段
２３  オブジェクト表示手段
２４  素材蓄積手段
２５  全体制御・管理手段
２６  要求解釈手段
２７  タイトル間隔制御コマンド入力手段
２８  タイトル再生コマンド入力手段
１２１  駆動型格納部
１２２  部品格納部
【図１】
0003562981.tif 000002
【図２】
0003562981.tif 000003
【図３】
0003562981.tif 000004
【図４】
0003562981.tif 000005
【図５】
0003562981.tif 000006